(57)【要約】【課題】清掃具の先端部を光コネクタのフェルールの光ファイバ接続端に正しく当接させた状態で確実に清掃を行うことができる光ファイバコネクタ用清掃治具および光ファイバコネクタ用清掃治具セットを提供する。【解決手段】雌形光コネクタ４００に接続される接続部２を有する治具本体１を備え、治具本体１は、治具本体１の中心線Ｃ１に沿って形成された軸受け部９を備え、雌形光コネクタ４００にとの接続時に、治具本体１の中心線Ｃ１がフェルール３０１の中心線と一致するように形成され、軸受け部９は、内径寸法が清掃具２００の軸２０１の外径寸法よりも等しいかやや大きく、清掃具２００を軸２０１方向にスライド可能かつ軸２０１周りに回動可能に支持するように形成されていることを特徴とする。【選択図】図２
2008298952.tif 000002
【特許請求の範囲】
【請求項１】
棒状の軸を有する清掃具を用いて光ファイバコネクタのフェルールの光ファイバ接続端を清掃するための光ファイバコネクタ用清掃治具であって、
前記光ファイバコネクタに接続される接続部を有する治具本体を備え、
前記治具本体は、該治具本体の中心線に沿って形成された軸受け部を備え、前記光ファイバコネクタとの接続時に、前記治具本体の中心線が前記フェルールの中心線と一致するように形成され、
前記軸受け部は、内径寸法が前記清掃具の前記軸の外径寸法よりも等しいかやや大きく、前記清掃具を前記軸方向にスライド可能かつ前記軸周りに回動可能に支持するように形成されていることを特徴とする光ファイバコネクタ用清掃治具。
【請求項２】
前記光ファイバコネクタは雌形の光コネクタ結合部を有するアダプタまたはレセプタクルであり、
前記接続部は、前記雌形の光コネクタ結合部と嵌合可能に形成されていることを特徴とする請求項１記載の光ファイバコネクタ用清掃治具。
【請求項３】
前記光ファイバコネクタは雄形の光コネクタ結合部を有するプラグであり、
前記接続部は、前記雄形の光コネクタ結合部と嵌合可能に形成されていることを特徴とする請求項１または請求項２に記載の光ファイバコネクタ用清掃治具。
【請求項４】
前記軸受け部の少なくとも一方の開口部には、前記軸受け部の中央側から前記開口部側に向けて前記軸受け部の内径寸法が徐々に拡大されて斜面が形成されていることを特徴とする請求項２または請求項３に記載の光ファイバコネクタ用清掃治具。
【請求項５】
前記治具本体は付勢部材を備え、
前記付勢部材は、一方の端部が前記治具本体に固定され、他方の端部が前記清掃具に固定され、前記清掃具を前記治具本体の中心線方向に付勢することを特徴とする請求項２ないし請求項４のいずれか一項に記載の光ファイバコネクタ用清掃治具。
【請求項６】
請求項１ないし請求項５のいずれか一項に記載の光ファイバコネクタ用清掃治具および清掃具を備えた光ファイバコネクタ用清掃治具セットであって、
前記清掃具の軸には、前記軸の径方向にストッパーが突設され、
前記ストッパーの前記径方向の寸法は、前記軸受け部の内径寸法よりも大きく形成され、
前記清掃具は、前記ストッパーが前記軸受け部の前記接続部側の端部に当接するように前記軸受け部に挿通されて支持され、
前記軸受け部から前記接続部側に突出した前記清掃具の先端側の長さ寸法が、前記治具本体と前記光ファイバコネクタとの結合時の前記軸受け部の前記接続部側の端部から前記光ファイバ接続端までの距離と等しいかやや大きいことを特徴とする光ファイバコネクタ用清掃治具セット。
【請求項７】
請求項１ないし請求項５のいずれか一項に記載の光ファイバコネクタ用清掃治具および清掃具を備えた光ファイバコネクタ用清掃治具セットであって、
前記清掃具の軸の少なくとも一部に形成された螺子部に螺合する表示部材を備え、
前記治具本体には、前記清掃具の軸方向に沿って表示窓が形成され、
前記表示部材に突設された表示凸部は、前記表示窓に受容され、
前記表示窓の前記軸方向の寸法は、前記清掃具が所望の回転数に達したときに前記表示部材が前記清掃具上を相対的に移動する距離に対応して形成されていることを特徴とする光ファイバコネクタ用清掃治具セット。
【発明の詳細な説明】
【技術分野】
【０００１】
この発明は、光ファイバコネクタ用清掃治具および光ファイバコネクタ用清掃治具セットに関するものである。
【背景技術】
【０００２】
従来から、光ファイバコネクタ（以下、光コネクタという）に内装されたフェルールの先端部の光ファイバ接続端を清掃するための光ファイバ接続端清掃具が知られている。この清掃具は、棒状の清掃具の軸を清掃作業者が把持し、清掃具の先端部の繊維等を光コネクタの光ファイバ接続端に当接させた状態で清掃具の軸を回転させることで、光ファイバ接続端を清掃するものである（例えば、特許文献１参照）。また、光コネクタは、例えばＪＩＳ  Ｃ  ５９７３等に規定されるプラグ（以下、雄形光コネクタという）、アダプタおよびレセプタクル（以下、雌形光コネクタという）等である。
【特許文献１】特開２００５−２６６６２８号公報
【発明の開示】
【発明が解決しようとする課題】
【０００３】
しかしながら、上記従来の清掃具では、光コネクタの光ファイバ接続端に清掃具の先端部を正しく当接させることが困難であるという課題がある。
例えば、図１６（ａ）に示すように、雌形光コネクタ４００は、光コネクタ結合部４０１に雄形光コネクタ３００のフェルール３０１が挿入される筒状のスリーブホルダ４０３を備えている。
【０００４】
したがって、図１６（ｂ）に示すように、雌形光コネクタ４００に結合させた雄形光コネクタ３００のフェルール３０１の光ファイバ接続端３０２を清掃する場合には、雄形光コネクタ３００の結合側とは反対の光コネクタ結合部４０１から清掃具２００を挿入し、清掃具２００の先端部２０２を雌形光コネクタ４００のスリーブホルダ４０３に挿入しなければならない。
【０００５】
しかし、例えば、雌形光コネクタ４００が壁面等に固定されている場合や、作業に必要な光量が十分に得られない場合等、作業環境が不十分な場合、雌形光コネクタ４００のスリーブホルダ４０３に清掃具２００の先端部２０２を挿入するのは困難である。
また、清掃具２００の先端部２０２を雌形光コネクタ４００のスリーブホルダ４０３に挿入することができたとしても、軸２０１の傾きにより先端部２０２がスリーブホルダ４０３の内壁や開口部に当って挿入を阻害される。したがって、先端部２０２を光ファイバ接続端３０２に正しく当接させることは困難である。
【０００６】
そして、このような場合に、清掃作業者、特に十分な知識や経験を有さない者にとって、清掃具２００の先端部２０２を光ファイバ接続端３０２に正しく当接させることができたか否かを判断することは困難である。したがって、清掃具２００の先端部２０２が光ファイバ接続端２０３に正しく当接されていない状態のまま、清掃作業を終了させてしまい、光ファイバ接続端３０２の清掃が不十分となってしまう。
【０００７】
そこで、この発明は、作業環境が不十分な場合や、十分な知識や経験を有さない者であっても、清掃具の先端部を光コネクタのフェルールの光ファイバ接続端に正しく当接させた状態で確実に清掃を行うことができる光ファイバコネクタ用清掃治具および光ファイバコネクタ用清掃治具セットを提供するものである。
【課題を解決するための手段】
【０００８】
上記の課題を解決するために、本発明の請求項１に係る光ファイバコネクタ用清掃治具は、棒状の軸を有する清掃具を用いて光ファイバコネクタのフェルールの光ファイバ接続端を清掃するための光ファイバコネクタ用清掃治具であって、前記光ファイバコネクタに接続される接続部を有する治具本体を備え、前記治具本体は、該治具本体の中心線に沿って形成された軸受け部を備え、前記光ファイバコネクタとの接続時に、前記治具本体の中心線が前記フェルールの中心線と一致するように形成され、前記軸受け部は、内径寸法が前記清掃具の前記軸の外径寸法よりも等しいかやや大きく、前記清掃具を前記軸方向にスライド可能かつ前記軸周りに回動可能に支持するように形成されていることを特徴とする。
【０００９】
本発明の請求項２に係る光ファイバコネクタ用清掃治具は、請求項１において、前記光ファイバコネクタは雌形の光コネクタ結合部を有するアダプタまたはレセプタクルであり、前記接続部は、前記雌形の光コネクタ結合部と嵌合可能に形成されていることを特徴とする。
【００１０】
本発明の請求項３に係る光ファイバコネクタ用清掃治具は、請求項１または請求項２において、前記光ファイバコネクタは雄形の光コネクタ結合部を有するプラグであり、前記接続部は、前記雄形の光コネクタ結合部と嵌合可能に形成されていることを特徴とする。
【００１１】
本発明の請求項４に係る光ファイバコネクタ用清掃治具は、請求項２または請求項３において、前記軸受け部の少なくとも一方の開口部には、前記軸受け部の中央側から前記開口部側に向けて前記軸受け部の内径寸法が徐々に拡大されて斜面が形成されていることを特徴とする。
【００１２】
本発明の請求項５に係る光ファイバコネクタ用清掃治具は、請求項２ないし請求項４のいずれか一項において、前記治具本体は付勢部材を備え、前記付勢部材は、一方の端部が前記治具本体に固定され、他方の端部が前記清掃具に固定され、前記清掃具を前記治具本体の中心線方向に付勢することを特徴とする。
【００１３】
本発明の請求項６に係る光ファイバコネクタ用清掃治具セットは、請求項１ないし請求項５のいずれか一項に記載の光ファイバコネクタ用清掃治具および清掃具を備えた光ファイバコネクタ用清掃治具セットであって、前記清掃具の軸には、前記軸の径方向にストッパーが突設され、前記ストッパーの前記径方向の寸法は、前記軸受け部の内径寸法よりも大きく形成され、前記清掃具は、前記ストッパーが前記軸受け部の前記接続部側の端部に当接するように前記軸受け部に挿通されて支持され、前記軸受け部から前記接続部側に突出した前記清掃具の先端側の長さ寸法が、前記治具本体と前記光ファイバコネクタとの結合時の前記軸受け部の前記接続部側の端部から前記光ファイバ接続端までの距離と等しいかやや大きいことを特徴とする。
【００１４】
本発明の請求項７に係る光ファイバコネクタ用清掃治具セットは、請求項１ないし請求項５のいずれか一項に記載の光ファイバコネクタ用清掃治具および清掃具を備えた光ファイバコネクタ用清掃治具セットであって、前記清掃具の軸の少なくとも一部に形成された螺子部に螺合する表示部材を備え、前記治具本体には、前記清掃具の軸方向に沿って表示窓が形成され、前記表示部材に突設された表示凸部は、前記表示窓に受容され、前記表示窓の前記軸方向の寸法は、前記清掃具が所望の回転数に達したときに前記表示部材が前記清掃具上を相対的に移動する距離に対応して形成されていることを特徴とする。
【発明の効果】
【００１５】
治具本体の接続部を光コネクタに接続することで、治具本体の中心線を光コネクタのフェルールの中心線と一致させた状態にすることができる。その状態で、清掃具を治具本体の中心線に沿って形成された軸受け部に支持させ、清掃具を軸方向にスライドさせることができる。これにより、清掃具の先端部の位置ずれを防止し、清掃具が光コネクタの中心線からの傾きを生じることなく、先端部をフェルールの光ファイバ接続端に正しく当接させることができる。さらに、その状態で清掃具を軸周りに回動させることで、清掃具の先端部により、光ファイバ接続端を確実に清掃することができる。
【００１６】
したがって、本発明によれば、作業環境が不十分な場合や、十分な知識や経験を有さない者であっても、治具本体を光コネクタに接続し、清掃具を軸受け部に支持させるだけで、清掃具の先端部を光コネクタのフェルールの光ファイバ接続端に正しく当接させた状態で確実に清掃を行うことができる。
【発明を実施するための最良の形態】
【００１７】
次に、この発明の実施の形態を図面に基づいて説明する。
＜第一実施形態＞
図１に示す光ファイバコネクタ用清掃治具１０１は、清掃具２００を用いて光コネクタプラグ（以下、雄形光コネクタ３００という）、光コネクタアダプタまたは光コネクタレセプタクル（以下、雌形光コネクタ４００という）等の光ファイバコネクタ（以下、光コネクタという）に備えられたフェルール３０１の光ファイバ接続端３０２を清掃するための治具である。これらの光コネクタは、例えば、ＪＩＳ  Ｃ  ５９７３等に規定される構造を有するものである。清掃具２００は棒状の軸２０１を有し、先端部２０２に、例えば、清掃布等を備えている。
【００１８】
雌形光コネクタ４００は、両側に備えた雌形の光コネクタ結合部４０１，４０１が雄形光コネクタ３００と結合して雄形光コネクタ３００同士を光接続する光コネクタアダプタである。光コネクタ結合部４０１には、雄形光コネクタ３００の光コネクタ結合部３１０に嵌合する嵌合爪４０２，４０２と、雄形光コネクタ３００のフェルール３０１が挿入される筒状のスリーブホルダ４０３が設けられている。ここでは図示を省略するが、光コネクタレセプタクルは、光コネクタアダプタと同様の雌形の光コネクタ結合部４０１を備え、スリーブホルダ４０３の内側には、後述する雄形光コネクタ３００と同様のフェルールを備え、光ファイバケーブルの端部に形成される。
【００１９】
雄形光コネクタ３００は、光ファイバケーブル３０３の端部に設けられ、プラグフレーム３０４によって支持された円柱状のフェルール３０１を備えている。フェルール３０１は中心に光ファイバ（図示省略）を備え、フェルール３０１の先端は研磨されて光ファイバ接続端３０２が形成されている。フェルール３０１の中心線は、雄形光コネクタ３００の中心線Ｃ２と一致している。
【００２０】
雄形光コネクタ３００のつまみ３０５は、例えばプラスチック等により形成されている。雄形光コネクタ３００の先端部は雌形光コネクタ４００に接続される雄形の光コネクタ結合部３１０として形成されている。光コネクタ結合部３１０は、つまみ３０５が接続方向の前後（図１の矢印Ａ方向）にスライドするスライドロック構造（例えば、ＪＩＳ  Ｃ  ５９７３参照）を備えている。
【００２１】
すなわち、つまみ３０５を接続方向の前方に移動させることで、つまみ３０５の側面に設けられた開口部（図示省略）がプラグフレーム上を相対的に移動する。そして、雌形光コネクタ４００の嵌合爪４０２が、開口部を介してプラグフレーム３０４の側面の突起（図示省略）に嵌合する。また、つまみ３０５を接続方向の後方に移動させることで、つまみ３０５の開口部の両側に設けられた斜面により、嵌合爪４０２とプラグフレーム３０４の突起との嵌合を解除できるように構成されている。
【００２２】
光コネクタ用清掃治具１０１は、図１および図２に示すように、雌形光コネクタ４００に接続される治具本体１を備えている。治具本体１の先端１２側には、雌形光コネクタ４００の光コネクタ結合部４０１に挿入される雄形の接続部２が形成されている。
接続部２の中心線Ｃ１方向の長さ寸法Ｌ２は、光コネクタ結合部４０１の底面４０４から端部４０５までの深さ寸法ｄ１と略等しくなっている。
【００２３】
接続部２の内側には、雌形光コネクタ４００のスリーブホルダ４０３を受容する受容凹部６が形成されている。治具本体１の先端１２から受容凹部６の底面７までの深さ寸法ｄ２は、受容凹部６に収容されるスリーブホルダ４０３の高さ寸法Ｈ１と等しいか、それよりもやや大きくなるように形成されている。
接続部２の断面形状は、光コネクタ結合部４０１の断面形状に対応し、治具本体１の中心線Ｃ１を中心とする長方形に形成されている。接続部２の断面の幅寸法Ｗ２および奥行き寸法（図示省略）は、接続部２を光コネクタ結合部４０１の内側に挿入可能とするために、光コネクタ結合部４０１の幅寸法Ｗ１および奥行き寸法（図示省略）よりも小さく形成されている。
【００２４】
接続部２の側面３は治具本体１の中心線Ｃ１と略平行に形成されている。接続部２の側面３には、図２に示すように、上述の雄形光コネクタ３００のつまみ３０５と同様の開口部４，４が設けられ、嵌合爪４０２，４０２が嵌合可能に形成されている。また、開口部４，４の両側には、上述のつまみの開口部と同様に、嵌合爪４０２，４０２と開口部４，４との嵌合を解除するための斜面５，５が形成されている。
【００２５】
接続部２の後端１０側には、雌形光コネクタ４００との接合時に、雌形光コネクタ４００の端部４０５に当接する当接部８が形成されている。当接部８は、治具本体１の周囲に治具本体１の中心線Ｃ１と略垂直に突設されている。当接部８は、平面視で雌形光コネクタ４００の端部４０５の寸法と等しいか、それよりも一回り大きい寸法に形成される。当接部８の厚さ寸法Ｔ１は、清掃時に雌形光コネクタ４００から受ける反力等を考慮して、後述する軸受け部９の傾きを防止できる程度の強度を有するように決定する。
【００２６】
当接部８の後端１０側には、治具本体１が延設されて軸受け部９が形成されている。軸受け部９には、治具本体１の中心線Ｃ１に沿って、治具本体１の後端１０から受容凹部６の底面７に達する貫通孔１１が穿設されている。
貫通孔１１の中心線は治具本体１の中心線Ｃ１と一致するように形成されている。貫通孔１１の内径寸法Ｄ１は、清掃具２００の軸２０１の外径寸法Ｄ２と等しいか、それよりもやや大きく形成され、清掃具２００を軸２０１方向にスライド可能かつ軸２０１周りに回動可能に支持するように形成されている。
【００２７】
貫通孔１１の中心線Ｃ１方向の長さ寸法Ｌ１は、清掃具２００の外径寸法Ｄ２、清掃時に許容できる清掃具２００の軸２０１の中心線Ｃ１からの傾き、清掃時の作業スペースの制限等により決定される。例えば、貫通孔１１の内径寸法Ｄ１が約φ２．５〜３ｍｍ程度であった場合、軸受け部９の貫通孔１１の長さ寸法Ｌ１は、約２ｃｍ程度かそれ以上であることが好ましい。
【００２８】
次に、この実施の形態の作用について説明する。
図２に示すように、雌形光コネクタ４００に接続された雄形光コネクタ３００のフェルール３０１の光ファイバ接続端３０２を清掃する際には、まず、光コネクタ用清掃治具１０１を雌形光コネクタ４００に接続する。このとき、図１に示すように、治具本体１の先端１２側に形成された雄形の接続部２を雌形光コネクタ４００の雄形光コネクタ３００が結合された側とは反対の光コネクタ結合部４０１に挿入する。
【００２９】
ここで、接続部２の側面３は治具本体１の中心線Ｃ１と略平行に形成され、断面形状および寸法は光コネクタ結合部４０１に対応して形成されている。これにより、接続部２は光コネクタ結合部４０１の内壁に沿って挿入されていく。
挿入された接続部２の先端１２が嵌合爪４０２に達すると、接続部２により嵌合爪４０２が外側に弾性的に押し広げられる。
【００３０】
さらに接続部２を挿入していくと、図２に示すように、治具本体１の先端１２が光コネクタ結合部４０１の底面４０４に当接する。このとき、略同時に当接部８が雌形光コネクタ４００の端部４０５に当接する。また、外側に弾性的に押し広げられていた嵌合爪４０２，４０２が復元し、接続部２の側面３，３の開口部４，４に嵌合する。これにより、治具本体１は中心線Ｃ１が雌形光コネクタ４００の中心線Ｃ２と一致した状態で雌形光コネクタ４００に接続され固定される。
【００３１】
このように、接続部２が開口部４，４に嵌合した嵌合爪４０２，４０２によって挟持されて抜け止めされると共に、当接部８が雌形光コネクタ４００の端部４０５に当接し、接続部２の先端１２が光コネクタ結合部４０１の底面４０４に当接しているので、治具本体１の中心線Ｃ１が雌形光コネクタ４００の中心線Ｃ２に対して傾くことを防止できる。
【００３２】
また、接続部２の内側に形成された受容凹部６の深さ寸法ｄ２は、スリーブホルダ４０３の高さ寸法Ｈ１と等しいか、それよりもやや大きくなるように形成されている。したがって、軸受け部９の貫通孔１１の先端１２側の開口部１１ａは、スリーブホルダ４０３の開口部４０３ａに接するか、やや間隔を開けて対向した状態となる。また、軸受け部９の貫通孔１１および雌形光コネクタ４００のスリーブホルダ４０３はそれぞれ中心線Ｃ１，Ｃ２に一致しているので、互いに位置合わせされた状態となる。
【００３３】
次に、軸受け部９の貫通孔１１の後端１０側の開口部１１ｂから軸受け部９に清掃具２００を挿入し、雄形光コネクタ３００のフェルール３０１の光ファイバ接続端３０２に清掃具２００の先端部２０２を当接させる。ここで、軸受け部９の貫通孔１１の中心線は治具本体１の中心線Ｃ１と一致するように形成されている。また、軸受け部の貫通孔１１の内径寸法Ｄ１は、清掃具２００を軸２０１方向にスライド可能に支持するように、軸２０１の外径寸法Ｄ２と等しいかやや大きく形成されている。
したがって、清掃具２００を貫通孔１１に挿入し、清掃具２００を軸２０１方向にスライドさせる際に、清掃具２００が治具本体１の中心線Ｃ１からずれることがない。
【００３４】
また、治具本体１は中心線Ｃ１が雌形光コネクタ４００の中心線Ｃ２に一致した状態で雌形光コネクタ４００に結合している。さらに、軸受け部９の貫通孔１１の先端１２側の開口部１１ａは雌形光コネクタ４００のスリーブホルダ４０３の開口部４０３ａと位置合わせされて対向している。このように位置合わせされた状態で、軸受け部９によって支持された清掃具２００を、治具本体１の先端１２側に向けてスライドさせる。
【００３５】
これにより、先端部２０２の位置ずれを防止し、清掃具２００の軸２０１の傾きを生じることなく、先端部２０２を雌形光コネクタ４００のスリーブホルダ４０３に挿入することができる。したがって、先端部２０２をフェルール３０１の光ファイバ接続端３０２に正しく当接させることができる。
また、例えば、貫通孔１１の径が約２．５〜３ｍｍ程度であった場合、貫通孔１１の長さ寸法Ｌ１を約２ｃｍ程度かそれ以上とすることで、軸受け部９によって清掃具２００の軸２０１をより確実に支持し、清掃具２００の傾きをより確実に防止することができる。
【００３６】
次に、清掃具２００の先端部２０２をフェルール３０１の光ファイバ接続端３０２に押し当てた状態で、清掃具２００を軸２０１周りに回転させて、光ファイバ接続端３０２を清掃する。このとき、軸受け部９によって清掃具２００が支持されているので、清掃具２００の先端部２０２の位置ずれが防止され、軸２０１の傾きを生じることがない。
これにより、清掃具２００の先端部２０２が光ファイバ接続端３０２に正しく当接した状態で清掃具２００を軸２０１周りに回転させ、光ファイバ接続端３０２を確実に清掃することができる。
【００３７】
したがって、本実施形態によれば、治具本体１を雌形光コネクタ４００に結合させ、清掃具２００を軸受け部９の貫通孔１１に挿入するだけで、清掃具２００の先端部２０２を光ファイバ接続端３０２に正しく当接させることができるので、作業環境が不十分な場合や、十分な知識や経験を有さない者であっても、光ファイバ接続端３０２の清掃を確実に行うことができる。
【００３８】
また、従来、図３に示すように、雌形光コネクタ４００がシャッタ４０６を備えたシャッタ付雌形光コネクタであった場合には、シャッタ４０６が邪魔になり清掃具２００の先端部２０２をフェルール３０１の光ファイバ接続端３０２に正しく当接させることが困難であった。
【００３９】
しかし、本実施形態によれば、治具本体１の接続部２を雌形光コネクタ４００の光コネクタ結合部４０１に接続することで、接続部２の側面３によりシャッタ４０６を倒した状態にしておくことができる。したがって、シャッタ付の雌形光コネクタ４００を用いる場合であっても、シャッタ４０６が邪魔にならず、清掃具２００の先端部２０２を光ファイバ接続端３０２に正しく当接させて、光ファイバ接続端３０２を確実に清掃することができる。
【００４０】
＜第二実施形態＞
次に、本発明の第二実施形態について、図１および図２を援用し、図４〜図６を用いて説明する。本実施形態では上述の第一実施形態で説明した光コネクタ用清掃治具１０１と、治具本体１の接続部２´が雌形である点で異なっている。その他の点は第一実施形態と同様であるので、同一の部分には同一の符号を付して説明は省略する。
【００４１】
図４に示す光コネクタ用清掃治具１０２は、雄形光コネクタ３００またはシャッタ付雄形光コネクタ３００´に接続される雌形の接続部２´を有する治具本体１を備えている。
シャッタ付雄形光コネクタ３００´は、第一実施形態において説明した雄形光コネクタ３００に、図４および図５に示すように、シャッタ３０６を備えたシャッタハウジング３０７が装着されたものである。シャッタハウジング３０７は、シャッタハウジング３０７の内部に備えたスプリング（図示省略）と、つまみ３０５に形成されたレール部３０８により、接続方向の前後（図４の矢印Ｂ方向）にスライド可能に構成されている。
【００４２】
シャッタ３０６は、例えば、ステンレス等の金属の薄板によって形成され、基端部は、図２に示すように、シャッタハウジング３０７の内壁３０９に固定されている。シャッタ３０６の先端部はシャッタハウジング３０７の内壁３０９から略垂直方向に折り曲げられ、シャッタハウジング３０７が接続方向の前方に位置するときには、シャッタ３０６の先端部によってフェルール３０１の光ファイバ接続端３０２が覆われるように構成されている。シャッタハウジング３０７が接続方向の後方側に移動すると、シャッタ３０６もシャッタハウジング３０７の移動に伴って後退し、シャッタ３０６の先端部がつまみ３０５とプラグフレーム３０４との間に引き込まれて収納され、光ファイバ接続端３０２が露出されるように構成されている。
【００４３】
光コネクタ用清掃治具１０２は、図４および図６に示すように、治具本体１の先端１２側には、シャッタ付雄形光コネクタ３００´および雄形光コネクタ３００の雄形の光コネクタ結合部３１０を受容して、これらに嵌合する雌形の接続部２´が形成されている。接続部２´の内側には、上述の実施形態において説明した雌形光コネクタ４００の光コネクタ結合部４０１と同様の光コネクタ結合部４０１´が形成されている。また、接続部２´に形成されたスリーブホルダ４０３´の中心線は、治具本体１の中心線Ｃ１と一致するように形成されている。
【００４４】
次に、この実施の形態の作用について説明する。
シャッタ付雄形光コネクタ３００´のフェルール３０１の光ファイバ接続端３０２を清掃する際には、光コネクタ用清掃治具１０２をシャッタ付雄形光コネクタ３００´に接続する。まず、治具本体１の先端１２側に形成された雌形の接続部２´にシャッタ付雄形光コネクタ３００´の光コネクタ結合部３１０を挿入する。このとき、シャッタ付雄形光コネクタ３００´のつまみ３０５を把持した状態で、シャッタハウジング３０７の先端側を治具本体１の先端１２に当接させ、シャッタ付雄形コネクタ３００´の光コネクタ結合部３１０を接続部２´の内側の光コネクタ結合部４０１´に押し込んでいく。
【００４５】
これにより、図６に示すように、シャッタハウジング３０７が治具本体１の先端１２に押されて後退し、上述の実施形態の雄形光コネクタ３００と雌形光コネクタ４００の結合と同様に、シャッタ付雄形光コネクタ３００´の光コネクタ結合部３１０が接続部２´の光コネクタ結合部４０１´に挿入されて結合される。
このように、シャッタ付雄形光コネクタ３００´が接続部２´の光コネクタ結合部４０１´に結合されることで、治具本体１の中心線Ｃ１がシャッタ付雄形光コネクタ３００´の中心線Ｃ２に対して傾くことを防止できる。
【００４６】
したがって、本実施形態によれば、治具本体１にシャッタ付雄形光コネクタ３００´を結合させ、清掃具２００を軸受け部９の貫通孔１１に挿入するだけで、第一実施形態と同様に、清掃具２００の先端部２０２を光ファイバ接続端３０２に正しく当接させ、光ファイバ接続端３０２の清掃を確実に行うことができる。
【００４７】
また、従来、シャッタ付雄形コネクタ３００´を単独で清掃する場合、シャッタ３０６が邪魔になり光ファイバ接続端３０２を十分に清掃することが困難であった。また、光コネクタアダプタ（雌形光コネクタ４００）に結合させて清掃する場合であっても、清掃具２００の先端部２０２をフェルール３０１の光ファイバ接続端３０２に正しく当接させることが困難であった。
【００４８】
しかし、本実施形態によれば、治具本体１にシャッタ付雄形光コネクタ３００´を結合させることで、シャッタハウジング３０７を後退させてシャッタ３０６を収納し、フェルール３０１が露出した状態にすることができる。したがって、シャッタ付雄形光コネクタ３００´であっても、シャッタ３０６が邪魔にならないだけでなく、清掃具２００の先端部２０２を光ファイバ接続端３０２に正しく当接させて、光ファイバ接続端３０２を確実に清掃することができる。
【００４９】
＜第三実施形態＞
次に、本発明の第三実施形態について、図１〜図６を援用し、図７および図８を用いて説明する。本実施形態では、上述の第一および第二実施形態で説明した光コネクタ用清掃治具１０１，１０２の軸受け部９の貫通孔１１の開口部１１ａ，１１ｂが放射状に拡大されている点で異なっている。その他の点は第一および第二実施形態と同様であるので、同一の部分には同一の符号を付して説明は省略する。
【００５０】
図７および図８に示すように、光コネクタ用清掃治具１０３，１０４の軸受け部９の貫通孔１１の開口部１１ａ，１１ｂには、軸受け部９の中央側から開口部１１ａ，１１ｂ側に向けて軸受け部９の貫通孔１１の内径寸法Ｄ１が徐々に拡大され、断面視で放射状に斜面１３が形成されている。斜面１３が治具本体１の中心線Ｃ１に対してなす角度θは、斜面１３によって拡大された貫通孔１１の開口部１１ａ，１１ｂの径Ｄ３，Ｄ４、および貫通孔１１の長さ寸法Ｌ１等を考慮した上で、なるべく小さくなるように形成されている。
【００５１】
例えば、開口部１１ａ，１１ｂの径Ｄ３，Ｄ４を、貫通孔１１の内径寸法Ｄ１の２倍程度とし、斜面１３が治具本体１の中心線Ｃ１に対してなす角度θを約３０°とすることが好ましい。
また、貫通孔１１の斜面１３を除く部分の長さ寸法Ｌ３は、第一実施形態の貫通孔１１の長さ寸法Ｌ１と同様に決定する。例えば、貫通孔１１の径が約２．５〜３ｍｍ程度であった場合、貫通孔１１の斜面１３を除く部分の長さ寸法Ｌ３は、約２ｃｍ程度かそれ以上であることが好ましい。
【００５２】
次に、この実施の形態の作用について説明する。
第一実施形態および第二実施形態と同様に、雄形光コネクタ３００およびシャッタ付雄形光コネクタ３００´の光ファイバ接続端３０２の清掃を行う際には、図７および図８に示す治具本体１を、それぞれ雌形光コネクタ４００およびシャッタ付雄形光コネクタ３００´に接続する。
【００５３】
そして、軸受け部９の貫通孔１１の後端１０側の開口部１１ｂから軸受け部９に清掃具２００を挿入し、フェルール３０１の光ファイバ接続端３０２に清掃具２００の先端部２０２を当接させる。ここで、貫通孔１１の治具本体１の後端１０側の開口部１１ｂは斜面１３によって拡大されている。
したがって、開口部１１ｂに斜面１３が形成されていない場合と比較して、清掃具２００の先端部２０２を容易に開口部１１ｂに挿入することができる。
【００５４】
また、開口部１１ｂに挿入された清掃具２００の先端部２０２が治具本体１の中心線Ｃ１からずれていた場合、清掃具２００を治具本体１の先端１２方向に挿入していくと、清掃具２００の先端部２０２は斜面１３に接し、斜面１３に沿って治具本体１の中心線Ｃ１方向へと誘導される。斜面１３によって治具本体１の中心線Ｃ１方向へと誘導された清掃具２００の先端部２０２は、清掃具２００をさらに治具本体１の先端１２方向に挿入していくことで、貫通孔１１に挿入される。
【００５５】
また、清掃が終了して清掃具２００を治具本体１の軸受け部９から抜き取るときに、貫通孔１１の先端１２側の開口部１１ａに斜面１３が形成されているので、清掃具２００の先端部２０２を開口部１１ａに容易に導入することができる。
したがって、本実施形態によれば、開口部１１ａ，１１ｂに斜面１３が形成されていない場合と比較して、清掃具２００の先端部２０２を容易に軸受け部９の貫通孔１１に挿入および抜き取りをすることができる。
【００５６】
＜第四実施形態＞
次に、本発明の第四実施形態について、図１〜図８を援用し、図９を用いて説明する。本実施形態では上述の第三実施形態で説明した光コネクタ用清掃治具１０３，１０４と、治具本体１に雄形の接続部２と雌形の接続部２´の双方が形成されている点で異なっている。その他の点は第三実施形態と同様であるので、同一の部分には同一の符号を付して説明は省略する。
【００５７】
図９に示すように、光コネクタ用清掃治具１０５の治具本体１の一端には、上述の実施形態と同様の雌形の接続部２´が形成され、他端には上述の実施形態と同様の雄形の接続部２が形成されている。また、軸受け部９の貫通孔１１の開口部１１ａ，１１ｂには上述の第三実施形態と同様の斜面１３が形成されている。
【００５８】
本実施形態によれば、一つの光コネクタ用清掃治具１０５で雄形光コネクタ３００および雌形光コネクタ４００のどちらにでも接続することができるので、それぞれ個別に光コネクタ用清掃治具１０３，１０４を形成する場合と比較して、部品点数を削減することができる。
また、作業環境が十分でなく、作業者が複数の光コネクタ用清掃治具１０３，１０４を用いることが困難な場合でも、一つの光コネクタ用清掃治具１０５で雄形光コネクタおよび雌形光コネクタの双方を清掃することができるので、清掃作業の作業性を向上させることができる。
【００５９】
＜第五実施形態＞
次に、本発明の第五実施形態について、図１〜図６を援用し、図１０および図１１を用いて説明する。本実施形態では上述の第一および第二実施形態で説明した光コネクタ用清掃治具１０１，１０２と、接続部２，２´に付勢部材を備えた点で異なっている。その他の点は第一および第二実施形態と同様であるので、同一の部分には同一の符号を付して説明は省略する。
【００６０】
図１０および図１１に示すように、治具本体１の軸受け部９の貫通孔１１には清掃具２００が挿通されて支持されている。治具本体１の受容凹部６の底面７で、貫通孔１１の開口部１１ｂの周囲には、清掃具２００を軸２０１方向の先端１２側に付勢する付勢部材として、コイルスプリング１４が接着固定されている。清掃具２００の先端部２０２と軸２０１との間の段差部２０３にはコイルスプリング１４の先端１２側が当接している。コイルスプリング１４の先端１２側の内径寸法Ｄ５は、清掃具２００の先端部２０２の外径寸法Ｄ６よりも小さく、清掃具２００の軸２０１の外径寸法Ｄ２と等しいか、それよりもやや大きくなるように形成されている。
【００６１】
清掃具２００の後端１０側には、軸２０１に円柱状のつまみ２０４が形成されている。つまみ２０４の外径寸法Ｄ７は治具本体１の軸受け部９の貫通孔１１の内径寸法Ｄ１よりも大きくなるように形成され、表面には、例えば、滑り止めの溝等が形成されている。
コイルスプリング１４の軸２０１方向の長さ寸法Ｌ４は、治具本体１が光コネクタに接続され清掃具２００の先端部２０２がフェルール３０１の光ファイバ接続端３０２に当接した状態での、清掃具２００の段差部２０３から受容凹部６の底面７までの長さ寸法Ｌ５よりも大きくなるように構成されている。
【００６２】
また、コイルスプリング１４の軸２０１方向の長さ寸法Ｌ４およびバネ定数ｋは、清掃具２００の先端部２０２によって光ファイバ接続端３０２を清掃する際の最適な押圧力Ｆ１との間に、下記の式（１）を満たす関係が成立するように決定されている。
【００６３】
Ｆ１＝ｋ（Ｌ４−Ｌ５）…（１）
【００６４】
ここで、光ファイバ接続端３０２の清掃時に最適な押圧力Ｆ１は、例えば、人がペンによって紙に字を書くときに、ペン先が紙に押し当てられる押圧力と同程度である。
【００６５】
次に、この実施の形態の作用について説明する。
図１０および図１１に示す光コネクタ用清掃治具１０６，１０７を用いて光コネクタのフェルール３０１の光ファイバ接続端３０２を清掃する際には、まず、第一および第二実施形態と同様に、図７および図８に示す治具本体１を、それぞれ雌形光コネクタ４００（図２参照）および雄形光コネクタ３００´（図６参照）等に接続する。接続時には、清掃具２００の先端部２０２（図６参照）がフェルール３０１の先端の光ファイバ接続端３０２に当接する。そして、清掃具２００は段差部２０３にコイルスプリング１４による先端１２方向への付勢力を受けながら、光ファイバ接続端３０２からの反力によって、治具本体１の後端１０方向（図１０、図１１の矢印Ｃ，Ｄ方向）へ相対的に移動する。
【００６６】
治具本体１が光コネクタに接続されると、清掃具２００は、図１０および図１１に二点鎖線によって示す位置まで後退する。このとき、コイルスプリング１４は上述の式（１）を満たすように構成されているので、清掃具２００の先端部２０２は、コイルスプリング１４によって、清掃に最適な押圧力Ｆ１で光ファイバ接続端３０２に押圧される。この状態でつまみ２０４を軸２０１周りに回転させることで、清掃具２００の先端部２０２を最適な押圧力Ｆ１で光ファイバ接続端３０２に押圧した状態で清掃することができる。
【００６７】
したがって、本実施形態によれば、第一および第二実施形態と同様の効果が得られるだけでなく、十分な知識や経験を有さない者であっても、清掃具２００の先端部２０２に清掃に最適な押圧力Ｆ１を付与した状態で光ファイバ接続端３０２の清掃を行うことができる。
【００６８】
＜第六実施形態＞
次に、本発明の第六実施形態について、図１〜図６を援用し、図１２および図１３を用いて説明する。本実施形態は、上述の第一および第二実施形態で説明した光コネクタ用清掃治具１０１，１０２と清掃具２００とがセットになった光コネクタ用清掃治具セット１０８，１０９を用いる点で、上述した実施形態と異なっている。その他の点は第一および第二実施形態と同様であるので、同一の部分には同一の符号を付して説明は省略する。
【００６９】
図１２および図１３に示すように、光コネクタ用清掃治具セット１０８，１０９を構成する清掃具２００の軸２０１には、軸２０１の径方向にストッパー２０５が突設されている。軸２０１の径方向のストッパー２０５の幅寸法Ｗ３は、軸受け部９の貫通孔１１の内径寸法Ｄ１よりも大きくなるように形成されている。清掃具２００は、ストッパー２０５が貫通孔１１の開口部１１ａの周縁、すなわち受容凹部６の底面７に当接するように、軸受け部９に挿通されて支持されている。
【００７０】
開口部１１ａから接続部２の受容凹部６に突出した清掃具２００の先端側の長さ寸法Ｌ６は、治具本体１と光コネクタとが結合した際の、受容凹部６の底面７から光ファイバ接続端３０２までの距離Ｌ７（図２および図６参照）と等しいかやや大きくなるように形成されている。清掃具２００の後端１０側には、第五実施形態と同様のつまみ２０４が軸２０１に固定され、つまみ２０４の先端１２側の端部と治具本体１の後端１０との間には、隙間Ｇが形成されている。
清掃具２００の軸２０１は、例えば、プラスチックや紙材等の弾性を有する材料によって形成され、その弾性係数ｅおよび清掃時の押圧力Ｆ１との間に、下記の式（２）を満たす関係が成立するように構成されている。
【００７１】
Ｆ１＝ｅ（Ｌ６−Ｌ７）  …（２）
【００７２】
次に、この実施の形態の作用について説明する。
光コネクタ用清掃治具セット１０８，１０９を用いて光コネクタのフェルール３０１の光ファイバ接続端３０２を清掃する際には、まず、第一および第二実施形態と同様に、図１２および図１３に示す治具本体１をそれぞれ雌形光コネクタ４００（図２参照）およびシャッタ付雄形光コネクタ３００´（図６参照）等に接続する。接続時には、まず、清掃具２００の先端部２０２がフェルール３０１の先端の光ファイバ接続端３０２に当接する。そして、清掃具２００は、受容凹部６の底面７からストッパー２０５に負荷される先端１２方向の力と、フェルール３０１の光ファイバ接続端３０２から清掃具２００の先端部２０２に受ける反力により、軸２０１方向（図１２、図１３の矢印Ｅ方向）に圧縮される。
【００７３】
治具本体１が光コネクタに接続されると、清掃具２００は、軸受け部９の開口部１１ａから接続部２の受容凹部６に突出した清掃具２００の先端１２側の長さ寸法Ｌ６が、図１２および図１３に二点鎖線によって示すように、距離Ｌ７になるように圧縮される。このとき、清掃具２００は上述の式（２）を満たすように構成されているので、清掃具２００の先端部２０２は、清掃具２００の弾性力によって、清掃に最適な押圧力Ｆ１で光ファイバ接続端３０２に押圧される。この状態でつまみ２０４を軸２０１周りに回転させることで、清掃具２００の先端部２０２を最適な押圧力Ｆ１で光ファイバ接続端３０２に押圧して清掃することができる。
【００７４】
また、清掃具２００の先端１２側の長さ寸法Ｌ６が受容凹部６の底面７から光ファイバ接続端３０２までの距離Ｌ７と等しい場合には、つまみ２０４を把持して清掃具２００を先端１２方向に押し込むことで、同様に押圧力Ｆ１を付与することができる。このとき、つまみ２０４の先端１２側の端部と治具本体１の後端１０との間の隙間Ｇを上述の式（２）の（Ｌ６−Ｌ７）と等しい寸法にしておけば、つまみ２０４の先端１２側の端部と治具本体１の後端１０とが当接するまで清掃具２００を先端１２方向に押し込むことで、同様の押圧力Ｆ１を付与することができる。
したがって、本実施形態によれば、上述の第五実施形態と同様の効果を得ることができるだけでなく、治具本体１の構造を簡略化し、部品点数を削減することができる。
【００７５】
＜第七実施形態＞
次に、本発明の第七実施形態について、図１０および図１１を援用し、図１４および図１５を用いて説明する。本実施形態は、上述の第五実施形態で説明した光コネクタ用清掃治具１０６と清掃具２００とがセットになった光コネクタ用清掃治具セット１１０を用い、治具本体１に表示部１５を形成した点で、上述した実施形態と異なっている。その他の点は第五実施形態と同様であるので、同一の部分には同一の符号を付して説明は省略する。
【００７６】
図１４に示すように、光コネクタ用清掃治具セット１１０を構成する治具本体１には、清掃具２００の回転数を表示するための表示部１５が設けられている。
清掃具２００の表示部１５に対応する部分に設けられた螺子部２０６には複数のねじ山２０７が形成されている。螺子部２０６には略円筒形状の表示部材１６が螺合している。表示部材１６は、治具本体１の軸受け部９の貫通孔１１の一部が拡大されて形成された表示部材受容部１７に収容されている。治具本体１には、軸受け部９の表面から表示部材受容部１７に達する矩形の表示窓１８が、清掃具２００の軸２０１方向に沿って形成されている。表示部材１６には、その一部が突起して表示凸部１９が形成され、表示凸部１９は図１４および図１５（ａ）に示すように表示窓１８に収容されている。
【００７７】
図１５（ａ）に示すように、表示窓１８の側部で軸受け部９の表面には、インジケータ２０が表示されている。インジケータ２０は、光コネクタ用清掃治具セット１１０が未使用であることを表す未使用表示２０ａと、清掃が未完了であることを示す清掃継続表示２０ｂと、清掃が完了したことを示す清掃完了表示２０ｃによって構成されている。
【００７８】
螺子部２０６のピッチＰは、表示窓１８の中心線Ｃ１方向の長さ寸法Ｌ８と、光ファイバ接続端３０２を清掃するために必要な清掃具２００の回転数Ｎによって決定される。すなわち、これらの値は、下記の式（３）の関係を満たすように決定されている。
【００７９】
Ｌ８＞Ｐ×Ｎ  …（３）
【００８０】
すなわち、表示窓１８の中心線Ｃ１方向の長さ寸法Ｌ８は、清掃具２００が所望の回転数Ｎ、例えば、２〜５回転に達したときに、表示部材１６が清掃具２００上を相対的に移動する距離Ｌ９に対応して形成されている。
【００８１】
次に、この実施の形態の作用について説明する。
図１４に示す光コネクタ用清掃治具セット１１０を用いて光コネクタのフェルール３０１の光ファイバ接続端３０２を清掃する際には、上述の第五実施形態と同様に、治具本体１を雌形光コネクタ４００（図２参照）に接続する。
【００８２】
これにより、第五実施形態と同様に、清掃具２００は、コイルスプリング１４による先端１２方向への付勢力を段差部２０３に受けながら、図１４に二点鎖線によって示す位置まで後退する。このとき、表示窓１８の収容された表示凸部１９は、図１５（ａ）に示す位置から、図１５（ｂ）に示す位置まで後退する。このとき、表示凸部１９は、どちらの場合もインジケータ２０の未使用表示２０ａに対応する位置に位置している。
【００８３】
このとき、コイルスプリング１４は上述の式（１）を満たすように構成されているので、清掃具２００の先端部２０２は、コイルスプリング１４によって、清掃に最適な押圧力Ｆ１で光ファイバ接続端３０２に押圧される。
したがって、本実施形態によれば、上述の第五実施形態と同様に、清掃具２００の先端部２０２を最適な押圧力Ｆ１で光ファイバ接続端３０２に押圧して清掃することができる。
【００８４】
また、清掃具２００を軸２０１周りに回転させると、清掃具２００の螺子部２０６に螺合した表示部材１６は、二点鎖線で示すように治具本体１の後端１０側（図１４の矢印Ｆ方向）に移動する。このとき、表示凸部１９は、図１５（ｂ）に示すように、インジケータ２０の未使用表示２０ａに対応する位置から、インジケータ２０の清掃継続表示２０ｂに対応する位置を経て、図１５（ｃ）に示すように、清掃完了表示２０ｃに対応する位置まで移動する。
【００８５】
ここで、表示窓１８の中心線Ｃ１方向の長さ寸法Ｌ８は、清掃具２００が所望の回転数Ｎに達したときに表示部材１６が清掃具２００上を相対的に移動する距離Ｌ９に対応して形成されている。このため、清掃具２００を清掃に必要な回転数Ｎだけ回転させると、表示凸部１９が表示窓１８の端縁１８ａに当接する。これにより、清掃具２００の回転が規制される。
清掃終了後、治具本体１と光コネクタとの結合を解除することで、コイルスプリング１４が復元し、表示凸部１９は、図１５（ｃ）に示す位置から、図１５（ｄ）に示す位置まで移動する。このとき、表示凸部１９は、インジケータ２０の清掃完了表示２０ｃに対応する位置に位置している。
【００８６】
したがって、本実施形態によれば、上述の第五実施形態と同様の効果が得られるだけでなく、表示部１５を確認することによって、光コネクタ用清掃治具セット１１０が未使用状態であることを確認することができる。また、清掃具２００の回転数が清掃に必要な回転数Ｎに達すると、清掃具２００の回転が規制されるので、過剰な清掃を防止することができる。さらに、表示部１５を確認することによって、光コネクタ用清掃治具セット１１０が使用済みであることを確認することができる。
【００８７】
また、本実施形態では、接続部２が雌形光コネクタ４００と結合可能に設けられた雄形の光コネクタ用清掃治具セット１１０について説明したが、図１１に示すように、接続部２´が雌形の光コネクタ用清掃治具１０７と清掃具２００を用いた光コネクタ用清掃治具セットに表示部１５を設ける構成としても、本実施形態と同様の効果を得ることができることは言うまでもない。
【００８８】
尚、この発明は上述した実施の形態に限られるものではなく、治具本体の接続部は、光コネクタに接続可能なものであれば、上述の実施の形態に示したものに限定されない。例えば、接続部は雌形光コネクタの光コネクタ結合部の内側に挿入されるもの限られず、雌形光コネクタのハウジングを受け入れて、ハウジングの外側に嵌合するものであってもよい。
【００８９】
また、接続部が雌形の場合、受容凹部を形成せず、軸受け部の貫通孔の開口部が光コネクタのスリーブホルダと接触するように形成してもよい。
また、軸受け部の貫通孔の開口部の斜面は、貫通孔の両側には形成せず、どちらか一方に形成するようにしてもよい。
【００９０】
また、付勢部材は軸受け部の開口部に設けられたコイルスプリングでなくてもよい。例えば、軸受け部の途中に短冊状の板バネを配置し、板バネの一方の端部を軸受け部に固定し、他方の端部を清掃具の軸に係合させ、清掃具を軸周りに回転可能としておくことができる。これにより、軸受け部の貫通孔の開口部に斜面が形成されている場合や、治具本体の両端に接続部を有する場合等にも、清掃具を光コネクタのフェルール方向に付勢することが可能となる。
【図面の簡単な説明】
【００９１】
【図１】本発明の第一実施形態に係る光コネクタ用清掃治具の正面図である。
【図２】本発明の第一実施形態に係る光コネクタ用清掃治具の断面図である。
【図３】シャッタ付光コネクタアダプタの斜視図である。
【図４】本発明の第二実施形態に係る光コネクタ用清掃治具の正面図である。
【図５】シャッタ付光コネクタプラグの斜視図である。
【図６】本発明の第二実施形態に係る光コネクタ用清掃治具の断面図である。
【図７】本発明の第三実施形態に係る光コネクタ用清掃治具の断面図である。
【図８】本発明の第三実施形態に係る光コネクタ用清掃治具の断面図である。
【図９】本発明の第四実施形態に係る光コネクタ用清掃治具の断面図である。
【図１０】本発明の第五実施形態に係る光コネクタ用清掃治具の断面図である。
【図１１】本発明の第五実施形態に係る光コネクタ用清掃治具の断面図である。
【図１２】本発明の第六実施形態に係る光コネクタ用清掃治具の断面図である。
【図１３】本発明の第六実施形態に係る光コネクタ用清掃治具の断面図である。
【図１４】本発明の第七実施形態に係る光コネクタ用清掃治具の断面図である。
【図１５】（ａ）〜（ｄ）は本発明の第七実施形態に係る表示部の正面図である。
【図１６】（ａ）および（ｂ）は従来の光ファイバ接続端の清掃手順の説明図である。
【符号の説明】
【００９２】
１  治具本体
２  接続部
２´接続部
７  底面（軸受け部の接続部側の端部）
９  軸受け部
１１ａ  開口部
１１ｂ  口部
１３  斜面
１４  コイルスプリング（付勢部材）
１６  表示部材
１８  表示窓
１９  表示凸部
１０１  光コネクタ用清掃治具（光ファイバコネクタ用清掃治具）
１０２  光コネクタ用清掃治具（光ファイバコネクタ用清掃治具）
１０３  光コネクタ用清掃治具（光ファイバコネクタ用清掃治具）
１０４  光コネクタ用清掃治具（光ファイバコネクタ用清掃治具）
１０５  光コネクタ用清掃治具（光ファイバコネクタ用清掃治具）
１０６  光コネクタ用清掃治具（光ファイバコネクタ用清掃治具）
１０７  光コネクタ用清掃治具（光ファイバコネクタ用清掃治具）
１０８  光コネクタ用清掃治具セット（光ファイバコネクタ用清掃治具セット）
１０９  光コネクタ用清掃治具セット（光ファイバコネクタ用清掃治具セット）
１１０  光コネクタ用清掃治具セット（光ファイバコネクタ用清掃治具セット）
２００  清掃具
２０１  軸
２０５  ストッパー
２０６  螺子部
３００  雄形光コネクタ（光ファイバコネクタ、プラグ）
３００´  シャッタ付雄形光コネクタ（光ファイバコネクタ、プラグ）
３０１  フェルール
３０２  光ファイバ接続端
３１０  光コネクタ結合部
４００  雌形光コネクタ（光ファイバコネクタ、アダプタ）
４０１  光コネクタ結合部
４０１´  光コネクタ結合部
Ｃ１  中心線
Ｃ２  中心線
Ｄ１  内径寸法
Ｄ２  外形寸法
Ｌ６  長さ寸法
Ｌ７  距離
Ｌ８  長さ寸法
Ｌ９  距離
Ｗ３  幅寸法（径方向の寸法）
【図１】
2008298952.tif 000003
【図２】
2008298952.tif 000004
【図３】
2008298952.tif 000005
【図４】
2008298952.tif 000006
【図５】
2008298952.tif 000007
【図６】
2008298952.tif 000008
【図７】
2008298952.tif 000009
【図８】
2008298952.tif 000010
【図９】
2008298952.tif 000011
【図１０】
2008298952.tif 000012
【図１１】
2008298952.tif 000013
【図１２】
2008298952.tif 000014
【図１３】
2008298952.tif 000015
【図１４】
2008298952.tif 000016
【図１５】
2008298952.tif 000017
【図１６】
2008298952.tif 000018